(57)【要約】【課題】点検結果を理解しやすい形で表示する非常用照明点検システムを提供する。【解決手段】誘導灯である照明装置１に信号線Ｌｓを介して制御装置２が接続される。制御装置２は、照明装置１に対して約３分毎の常時監視を行い点検結果を取得する機能を有する。制御装置２は監視装置３と伝送線Ｌｔを介して接続され、監視装置３は、制御装置２から点検結果を取得し点検結果を実施日時とともに表示する。監視装置３は、常時監視においては、制御装置２から取得した前回の点検結果と今回の点検結果とを比較し、今回の点検結果が前回と同じであれば表示せずに制御装置２から次の点検結果を取得する。【選択図】        図１
2005182661.tif 000002
【特許請求の範囲】
【請求項１】
外部の常用電源からの給電が停止すると内蔵した２次電池を電源としてランプを点灯させる非常用の照明装置と、照明装置とはデータ通信が可能であって規定された期間毎に照明装置に対して定期点検を要求するとともに定期点検の点検結果を取得する機能と照明装置について少なくとも２次電池の異常の有無を含む点検項目を常時監視し点検結果を取得する機能とを少なくとも有した制御装置と、制御装置から点検結果を取得し点検結果を実施日時とともに表示する表示器を備える監視装置とからなり、照明装置は、定期点検が要求されると常用電源を規定時間は遮断する機能と、常用電源の遮断に伴う２次電池の端子電圧の変化を用いて判断した２次電池の異常の有無を点検結果とする機能とを有し、監視装置と制御装置との一方は、前回の点検結果と今回の点検結果とを比較し今回の点検結果を表示器に表示するか否かを決定する判断制御部を備えることを特徴とする非常用照明点検システム。
【請求項２】
前記判断制御部は、前記制御装置が常時監視している今回の点検結果が前回の点検結果とは異なるときに今回の点検結果を前記表示器に表示させることを特徴とする請求項１記載の非常用照明点検システム。
【請求項３】
前記判断制御部は、前記制御装置が定期点検を要求したときには定期点検の点検結果を実施日時とともに前記表示器に表示させることを特徴とする請求項２記載の非常用照明点検システム。
【請求項４】
前記判断制御部は、前記制御装置が定期点検を要求したときに定期点検が中断したときには定期点検が終了していないことを前記表示器に表示させることを特徴とする請求項１ないし請求項３のいずれか１項に記載の非常用照明点検システム。
【請求項５】
前記判断制御部は、定期点検が中断したときには次回の定期点検の予定日時を自動的に生成して前記表示器に表示させることを特徴とする請求項４記載の非常用照明点検システム。
【請求項６】
前記監視装置は、定期点検に対する点検結果を含む点検結果を規定されたフォーマットで出力する機能を有することを特徴とする請求項１ないし請求項５のいずれか１項に記載の非常用照明点検システム。
【発明の詳細な説明】
【技術分野】
【０００１】
本発明は、誘導灯や非常灯のように常用の電源が停電したときに２次電池を電源としてランプを点灯させる非常用の照明装置の点検作業をデータ通信技術を用いて行う非常用照明点検システムに関するものである。
【背景技術】
【０００２】
一般に、誘導灯や非常灯のような非常用の照明装置は、常時は商用電源のような常用電源から給電され、火災や地震のような非常時に常用電源が停電すると、内蔵した２次電池からなる非常用電源でランプを点灯させるように構成されている。この種の照明装置では、非常時において常用電源が停電したときに２次電池でランプが点灯することを保証するために、２次電池を電源とする非常点灯が正常に行われるか否かを定期的に点検することが、消防庁告示あるいは建築基準法により義務づけられている。
【０００３】
この種の点検を行うために、非常用の照明装置は一般に常用電源からランプヘの電力供給を強制的に停止するスイッチを備え、スイッチを操作することにより常用電源を遮断し擬似的な停電状態として２次電池から電力を供給させるように構成されている。この種のスイッチは照明装置の装置本体から垂下される引き紐を有していることが多く、引き紐を引張ることにより常用電源を遮断することができるようになっている。
【０００４】
ところで、消防庁告示や建築基準法では、２次電池からの電力供給によりランプを有効に（光出力を規定値以上に保って）非常点灯させなければならない時間として、誘導灯については２０分間または６０分間、非常灯については３０分間が規定されている。そこで、点検作業においては、点検者が引き紐に重りを吊り下げてスイッチによる擬似的な停電状態を保ち、ランプが有効に非常点灯しているか否かを点検者が監視している。すなわち、長時間に亘ってランプの点灯状態を点検者が監視しなければならず、点検作業は手間のかかるものになっている。また、誘導灯や非常灯は建物内の複数箇所に設置されているから、複数台の誘導灯や非常灯について個々に点検することになり、１箇所でも手間のかかる作業であるにもかかわらず複数箇所において点検作業を行うことになるから、誘導灯や非常灯の点検作業は点検者にとっては大きな負担になるという問題がある。
【０００５】
この種の問題を解決し、誘導灯や非常灯の２次電池の点検作業を自動化したり省力化したりするために、データ通信技術を利用することが提案されている。すなわち、誘導灯や非常灯のような照明装置にネットワークにおける端末機能を付加し、別に設けた制御装置からデータ通信によって照明装置に種々の命令を与えることを可能とした非常用照明点検システムが提案されている。制御装置から照明装置に与える命令には、照明装置を疑似的な停電状態にする命令も含まれ、この命令を受けた照明装置では常用電源からの電源供給を遮断し、２次電池でランプを点灯させるとともに動作状態を監視し、得られた情報を制御装置に返送する。したがって、制御装置では、定期点検を行う場合に、照明器具に対して擬似的な停電状態とする命令を与え、この命令に対する照明装置からの応答を監視することで、点検者が照明装置の設置場所に出向くことなく照明装置を点検することが可能になる。
【０００６】
この種の非常用照明点検システムとしては、制御装置（中央監視制御ユニット）と複数台の照明装置（個別非常照明ユニット）とを信号線を介して接続し、各照明装置に割り当てたアドレス（番地）を用いて制御装置が照明装置に対して診断モードに切り換える信号を伝送する構成が知られている（たとえば、特許文献１参照）。照明装置は、電池電圧、光出力、消費電流などを監視する機能を有し、制御装置から診断開始の命令を受信すると常用電源（主電源）から切り離してランプ（非常ランプ）を点灯させ、電池電圧、光出力、消費電流を監視するとともに、電池電圧が規定した電圧まで降下すると、時間、電圧、電流を記録するように構成されている。照明装置に記録された情報は、制御装置からの要求により制御装置に転送される。
【０００７】
また、制御装置とは通信可能に接続された照明装置が、制御装置からの命令で定期点検を行う点検機能のほかに、２次電池の充電状態を常時監視する監視機能を有しており、定期点検の結果だけではなく常時監視の結果も記憶部に記憶することにより、定期点検の際に総合的な判断を行って２次電池の点検精度を向上させるものも提案されている（特願２００２−２７９７６０号）。
【特許文献１】特開平３−２２８４９７号公報
【発明の開示】
【発明が解決しようとする課題】
【０００８】
ところで、特許文献１に記載された技術では、診断時の監視結果を記憶しているから過去の状態も知ることが可能であるが、記憶する内容としては、時間、電圧、電流のデータであって、点検者にとって異常か正常かを直截的に知ることができないという問題がある。また、各照明装置の診断内容としては、点検スイッチを操作して定期点検を行う場合と同内容であって常時監視との総合的な判断による精度のよい点検は行えないものである。
【０００９】
一方、特願２００２−２７９７６０号に記載の技術では、定期点検だけではなく常時監視する機能も備えており、しかも異常発生を判断して報知するとともに記憶する機能を有しているから、点検者にとって異常の有無を直截的に知ることができるものではあるが、常時監視は周期的に繰り返して行われており、常時監視の記録は周期的に行われる常時監視の結果である正常と異常との羅列（上記出願明細書の図２７など参照）であるから、常時監視の記録は点検者にとってわかりやすいものとは言えないという問題がある。
【００１０】
本発明は上記事由に鑑みて為されたものであり、その目的は、点検結果を点検者に分かりやすい形にして表示する非常用照明点検システムを提供することにある。
【課題を解決するための手段】
【００１１】
請求項１の発明は、外部の常用電源からの給電が停止すると内蔵した２次電池を電源としてランプを点灯させる非常用の照明装置と、照明装置とはデータ通信が可能であって規定された期間毎に照明装置に対して定期点検を要求するとともに定期点検の点検結果を取得する機能と照明装置について少なくとも２次電池の異常の有無を含む点検項目を常時監視し点検結果を取得する機能とを少なくとも有した制御装置と、制御装置から点検結果を取得し点検結果を実施日時とともに表示する表示器を備える監視装置とからなり、照明装置は、定期点検が要求されると常用電源を規定時間は遮断する機能と、常用電源の遮断に伴う２次電池の端子電圧の変化を用いて判断した２次電池の異常の有無を点検結果とする機能とを有し、監視装置と制御装置との一方は、前回の点検結果と今回の点検結果とを比較し今回の点検結果を表示器に表示するか否かを決定する判断制御部を備えることを特徴とする。
【００１２】
この構成によれば、定期点検を制御装置が実施することによって点検者は照明装置を個別に操作する必要がないから省力化できる上に、常時監視によって２次電池の異常の有無を含む点検項目について比較的短い時間で点検結果を得ているから、定期点検での点検結果だけではなく常時監視の点検結果を併せて用いることにより、定期点検のみを行う場合に比較して照明装置の異常の有無を迅速かつ精度よく判断することができる。しかも、前回の点検結果と今回の点検結果とを比較して今回の点検結果を監視装置の表示器に表示するか否かを決定しているから、今回の点検結果を表示することが照明装置の異常の有無について点検者の認識を容易にする場合にのみ今回の点検結果を表示器に表示するようにすれば、表示器に表示するデータ量を低減させることができ、点検者にとってわかりやすい表示が可能になる。また、表示器に表示する点検結果と同内容を履歴として記憶すれば、すべての点検結果を記憶する場合に比較して記憶容量を大幅に低減することができ、結果的にコストの低減につながる。
【００１３】
請求項２の発明では、請求項１の発明において、前記判断制御部は、前記制御装置が常時監視している今回の点検結果が前回の点検結果とは異なるときに今回の点検結果を前記表示器に表示させることを特徴とする。
【００１４】
この構成によれば、常時監視については点検結果に変化が生じたときにのみ点検結果を表示器に表示するのであって、一般に点検結果に変化が生じるのは異常が生じたときであるから、異常の発生時点を容易に認識することができる。
【００１５】
請求項３の発明では、請求項２の発明において、前記判断制御部は、前記制御装置が定期点検を要求したときには定期点検の点検結果を実施日時とともに前記表示器に表示させることを特徴とする。
【００１６】
この構成によれば、常時監視における点検結果は点検結果に変化が生じたときにのみ点検結果を表示器に表示するのに対して、定期点検の点検結果は実施日時とともに表示器に表示するから、定期点検を行った日時を確認することができ、定期点検を行ったか否かを点検者に確実に認識させることができる。また、制御装置の故障などによって定期点検が行われない場合には、定期点検の実施日時が予定通りに表示されないことによって、定期点検が行われていないことを知ることができるから、点検者に対して定期点検を促す効果も期待できる。
【００１７】
請求項４の発明では、請求項１ないし請求項３の発明において、前記判断制御部は、前記制御装置が定期点検を要求したときに定期点検が中断したときには定期点検が終了していないことを前記表示器に表示させることを特徴とする。
【００１８】
この構成によれば、定期点検の中断によって定期点検が終了していない場合に、定期点検が未終了であることを点検者に認識させることができ、たとえば、定期点検を手動で行わせることが可能になる。
【００１９】
請求項５の発明では、請求項４の発明において、前記判断制御部は、定期点検が中断したときには次回の定期点検の予定日時を自動的に生成して前記表示器に表示させることを特徴とする。
【００２０】
この構成によれば、定期点検が中断したときに次回の定期点検の予定が自動的に生成されるから、定期点検が未終了であるときに定期点検を手動で行う必要がなく、また定期点検の予定が表示器に表示されるから、点検者にとって安心感が得られる。
【００２１】
請求項６の発明では、請求項１ないし請求項５の発明において、前記監視装置は、定期点検に対する点検結果を含む点検結果を規定されたフォーマットで出力する機能を有することを特徴とする。
【００２２】
この構成によれば、定期点検による点検結果を含むフォーマットの出力が得られるから、定期点検の結果を容易に確認することができる。ここに、出力の対象は表示器の画面表示のほか、プリンタによる印刷を含んでおり、プリンタによる印刷を行えば、定期点検に関する書類が自動的に作成されることになり、定期点検における省力化になる。
【発明の効果】
【００２３】
本発明の構成によれば、定期点検を制御装置が実施することによって点検者は照明装置を個別に操作する必要がないから省力化できる上に、常時監視によって２次電池の異常の有無を含む点検項目について比較的短い時間で点検結果を得ているから、定期点検での点検結果だけではなく常時監視の点検結果を併せて用いることにより、定期点検のみを行う場合に比較して照明装置の異常の有無を迅速かつ精度よく判断することができるという利点がある。しかも、前回の点検結果と今回の点検結果とを比較して今回の点検結果を監視装置の表示器に表示するか否かを決定しているから、今回の点検結果を表示することが照明装置の異常の有無について点検者の認識を容易にする場合にのみ今回の点検結果を表示器に表示するようにすれば、表示器に表示するデータ量を低減させることができ、点検者にとってわかりやすい表示が可能になる。また、表示器に表示する点検結果と同内容を履歴として記憶すれば、すべての点検結果を記憶する場合に比較して記憶容量を大幅に低減することができ、結果的にコストの低減につながる。
【発明を実施するための最良の形態】
【００２４】
本実施形態は、図１（ａ）に示すように、複数台の照明装置１が信号線Ｌｓを介して制御装置２に接続され、制御装置２に適宜のプログラムを実行するパーソナルコンピュータからなる監視装置３を伝送線Ｌｔを介して接続した構成を有する。信号線ＬｓはたとえばＲＳ４８５仕様であり、伝送線Ｌｔにはたとえばイーサネット（登録商標）を用い、制御装置２と監視装置３との間では、ＩＰアドレスを用いて信号を伝送する。
【００２５】
照明装置１は、誘導灯または非常灯であって（本実施形態では誘導灯を想定する）、図２に示すように、２次電池１１を内蔵し、商用電源のような常用電源ＡＣからの給電時には２次電池１１を充電するとともに常用電源ＡＣから点灯回路部１３にも給電してランプ１０を点灯させ、常用電源ＡＣの停電時には２次電池１１を電源としてランプ１０を点灯させる。ランプ１０には蛍光ランプが広く採用されているが、白熱電球や発光ダイオードを用いる場合もある。常用電源ＡＣを電源とするか２次電池１１を電源とするかは、電源制御部１２が判断しており、電源制御部１２では、常用電源ＡＣの停電を検出すると、ランプ１０を点灯させる点灯回路部１３に２次電池１１から電源を供給する。また、電源制御部１２は常用電源ＡＣからの給電時であっても、擬似的に停電状態とするために常用電源ＡＣからの給電を遮断することも可能になっている。
【００２６】
２次電池１１および電源制御部１２は点検回路部１４に接続される。点検回路部１４は、２次電池１１の端子電圧を監視する機能と、ランプ１０に流れるランプ電流を点灯回路部１４から検出する機能とを有し、さらに、これらの情報を総合することによりランプ１０および２次電池１１の異常の有無を判断する機能を有している。本実施形態の点検回路部１４は、６ヶ月に１回の割合で行う定期点検と、１週間に１回の割合で行う週間点検と、３分程度の周期で行う常時監視との３種類の点検を行う。
【００２７】
定期点検が点検回路部１４に指示されたときには、点検回路部１４は電源制御部１２に対して規定された時間（ここでは、２０分間）は常用電源ＡＣからの電源供給を遮断する指示を与える。したがって、定期点検が指示された照明装置１は擬似的な停電状態になり、２次電池１１から点灯回路部１３に電源が供給される。常用電源ＡＣからの電源供給を遮断する時間は点検回路部１４に接続されたタイマ回路部１５により時限しており、ここでは２０分間を時限するようになっている。定期点検では２次電池１１を電源としてランプ１０を２０分間点灯させた後の２次電池１１の端子電圧を測定し、端子電圧が規定した正常値以上であれば正常と判定し、正常値を下回ってれば電池異常と判定する。
【００２８】
週間点検が点検回路部１４に指示されたときには、点検回路部１４は電源制御部１２に対して１分間だけ常用電源ＡＣからの電源供給を遮断する指示を与える。週間点検の場合にも定期点検の場合と同様に、照明装置１は擬似的な停電状態になるが、１分間だけであるから、正常な２次電池１１であれば端子電圧が大きく低下することはない。そこで、常用電源ＡＣからの電源供給を遮断してから１分後の２次電池１１の端子電圧を測定し、あらかじめ設定した基準電圧以上であれば正常と判定し、基準電圧を下回っていれば電池異常と判定する。
【００２９】
常時監視が点検回路部１４に指示されたときには、点検回路部１４は、２次電池１１の端子電圧とランプ電流とがそれぞれあらかじめ設定した基準値以上であるか否を判断する。定期点検、週間点検、常時監視の結果は、日時とともにＥＥＰＲＯＭからなる記憶部１６に格納される。
【００３０】
照明装置１には、制御装置２との間で信号線Ｌｓを通してデータ通信を行うための通信部１７が設けられる。通信部１７にはＤＩＰスイッチなどを用いたアドレス設定部１８が接続され、制御装置２はアドレス設定部１８に設定されたアドレスを用いて各照明装置１を個別に認識できるようになっている。ここでは、１台の制御装置２に最大１２８台の照明装置１を接続することができるものとする。
【００３１】
定期点検、週間点検、常時監視は、制御装置２が照明装置１のアドレスを用いて各照明装置１をポーリングし各照明装置１に個別に指示を与えることによって行われる。すなわち、制御装置２では、定期点検には６ヶ月毎に各照明装置１に指示を与え、週間点検には１週間毎に各照明装置１に指示を与える。各照明装置１では、定期点検ないし週間点検の指示が与えられると点検作業を開始し、点検結果を記憶部１６に格納した状態で待機する。制御装置２において照明装置１から点検結果を取得するには、制御装置２から照明装置１に対して点検結果を要求し、記憶部１６に格納された点検結果を返送させる。また、常時監視にあたって、制御装置２は各照明装置１をサイクリックにポーリングする。１２８台の照明装置１が接続されているときには、すべての照明器具１をポーリングして各照明器具１から判断結果の応答を得るために約３分を要する。したがって、常時監視は３分程度の周期で行うことになる。
【００３２】
このように、本実施形態では、制御装置２から照明装置１に対して要求があると照明装置１から制御装置２への応答がなされるのであって、照明装置１から制御装置２に対して自発的に情報が送信されることはない。なお、定期点検や週間点検のスケジュールは制御装置２において管理することを想定しているが、制御装置２に点検開始スイッチを設けておき、点検開始スイッチの操作によって点検を開始するようにしてもよい。このような操作であっても、複数台の照明装置１について個別に操作するのではなく、１回の操作で複数台の照明装置１の点検結果を得ることができるから省力化になる。
【００３３】
ところで、監視装置３は、制御装置２が取得した照明装置１における異常の有無の判断結果を取得して表示する機能を有する。すなわち、監視装置３は、上述したようにパーソナルコンピュータを用いて構成され、図３に示すように、液晶表示器あるいはＣＲＴなどからなる表示器３１を備える。また、監視装置３は、伝送線Ｌｔを通して制御装置２とのデータ通信が可能になるように通信部３２を備える。表示器３１および通信部３２は、マイクロコンピュータを主構成とする判断制御部３０との間でデータを授受し、通信部３２から制御装置２に指示を与え、また制御装置２から通信部３２によりデータを受け取って表示器３１に表示する。したがって、制御装置２が信号線Ｌｓを通して照明装置１から受け取ったデータを監視装置３が伝送線Ｌｔを通して取得し、表示器３１に表示することができるようになっている。さらに、監視装置３には、制御装置２との間で授受するデータを記憶する記憶部３３と、監視装置３の種々動作を指示したり制御装置２に伝送するデータを指示したりするためのキーボードやマウスからなる操作部３４とが設けられる。
【００３４】
定期点検を行う際には、上述したように制御装置２が照明装置１に対して指示を与えるのであって、定期点検の際には照明装置１では、常用電源ＡＣを遮断して２次電池１１から点灯回路部１３に電源を供給しランプ１０を点灯させる。また、このとき同時に、制御装置２に対して点検開始信号を返送する。制御装置２では、照明装置１からの点検開始信号を受信すると監視装置３に対して点検開始を通知する。照明装置１では、２次電池１１を電源として規定した時間だけ非常点灯を行った後に、２次電池１１の端子電圧が規定した正常値以上か否かを判断し、常用電源ＡＣを電源として２次電池１１を充電する状態に復帰させる。また、２次電池１１を電源としてランプ１０を点灯させる状態から２次電池１１を充電する状態に復帰する際には、照明装置１から制御装置２に点検終了信号を返信し、点検終了信号を受け取った制御装置２が監視装置３に点検終了を通知する。
【００３５】
照明装置１の異常の有無を点検者にわかりやすく示すために、本実施形態では、監視装置３の判断制御部３０おいて制御装置２から受信したデータに対して図４のような処理を行っている。すなわち、監視装置３が要求するかあるいは制御装置２からの自発的な送信によって制御装置２から監視装置３がデータを取得すると（Ｓ１）、監視装置３から取得したデータを記憶部３３に格納するとともに、判断制御部３０で記憶部３３からデータを読み出し、データの種類が定期点検、週間点検、常時監視のいずれであるかを判断する（Ｓ２）。定期点検あるいは週間点検の場合には、データ量が比較的少ないから、すべてのデータを点検結果と日時とを対応付けた表形式で表示器３１に表示する（Ｓ４）。一方、常時監視は３分毎に行われデータ量が非常に多いから、定期点検あるいは週間点検と同様にすべてのデータを表示すると異常の有無がわかりにくくなる。そこで、常時監視に対するデータを取得したときには、取得したデータの内容を前回のデータの内容と比較し（Ｓ３）、データの内容が前回のデータと同じであるときには表示器３１の表示を変更せず、データの内容が異なっているときにのみ点検結果と日時とを対応付けた表形式で表示器３１に表示する。
【００３６】
表示器３１の表示例を図１（ｂ）に示す。図１（ｂ）においてフィールドＦ１は制御装置２のグループを示し、フィールドＦ２はグループ内での照明装置１のアドレスを示す。すなわち、図１（ｂ）に示す例では、それぞれ信号線Ｌｓを介して照明装置１を接続している制御装置２が複数台設けられ、複数台の制御装置２を統括して照明装置１を集中監視するために１台の監視装置３を設けることを想定している。フィールドＦ３は点検結果と日時とを対応付けて表形式で表している領域であって、フィールドＦ３の内容から明らかなように、点検結果に変化が生じた日時のみが、変化後の点検内容とともに表示される。したがって、約３分毎の常時監視に関して同じ点検内容が連続して表示されることがなく、点検内容に変化が生じたときのみ（一般には異常が生じたとき）、変化した点検内容が日時とともに表示されるのであって、点検者にとってわかりやすい表示になり、照明装置１のランプ１０や２次電池１１の交換のような対応を速やかに行うことが可能になる。また、表示器３１に表示される点検内容と日時とは照明装置１および制御装置２のアドレスとともに記憶部３３に格納されるのであって、常時監視のすべてのデータを記憶部３３に格納する場合に比較すると、記憶部３３に格納されるデータ量を大幅に低減し記憶部３３の容量を低減することができるから、コストの低減につながる。
【００３７】
ところで、常時監視における点検内容と定期点検や週間点検における点検内容とが同内容になる場合もある。たとえば、常時監視においては「電池外れ」を点検結果とすることができ、定期点検においては「電池寿命」を点検結果とすることができるが、いずれの場合も「電池異常」も合わせて点検結果とする。ここで、定期点検において「電池異常」という点検結果が得られると、常時監視において「電池異常」が検出されても表示器３１の表示内容に変化は生じない。ただし、異常を解除する作業を行う前に次の定期点検が行われると、図５に示すように、定期点検については点検開始日時と点検終了日時とが表示される。すなわち、図示例では、２００２年８月２１日に実施された定期点検の際に「電池異常」という点検結果が得られており、その後、常時監視において「電池異常」が継続するから、表示に変化がないが、２００２年１２月２１日に実施された定期点検の際に得られた点検結果である「電池異常」は表示されている。
【００３８】
上述のように、定期点検については点検結果が同内容であっても定期点検ごとに点検結果を表示するから、点検者には定期点検を実施したことがわかり、制御装置２や監視装置３の異常でないと認識することができるから、点検者にとって安心感が得られ、かつ定期点検の実施記録が得られることになる。なお、定期点検は頻度が少ないから記憶部３３の容量をほとんど増加させることがない。
【００３９】
ところで、上述のように定期点検には比較的長い時間（たとえば、２０分間）を要するから、定期点検の期間中に停電や電池切れのような異常が生じることが考えられる。そこで、照明装置１では、定期点検の期間中に停電や電池切れのような異常が発生したときには、異常の発生時点において点検処理を一旦中断し（タイマ回路部１５による時限を中止する）、復電後における制御装置２から照明装置１への問い合わせに対して、停電によって点検処理を中断した旨の応答を行う。また、監視装置３では制御装置２を通して停電による点検処理の中断が通知されると、図６に示すように、停電による点検処理の中断があったことを表示し（「停電通信断」）、点検処理が中断して未終了になっていることを表示する（「定期点検未終了」）。このように「定期点検未終了」の表示を行うことによって、点検者に定期点検が終了していないことを認識させることができる。
【００４０】
さらに、監視装置３は、制御装置２が予定していた定期点検が停電などの異常によって未終了になったときには、次の定期点検のスケジュールを自動的に再設定する機能を有している。次の定期点検のスケジュールは規定された期間に定期点検が終了するように設定される。再設定されたスケジュールは制御装置２に転送され、制御装置２は転送されたスケジュールに従って次回の定期点検を行う。また、図７に示すように、次の定期点検のスケジュールは、次の定期点検の予定日時に対応付けて「次期定期点検」と表示される。このような表示によって、点検者が次の定期点検がいつ実施されるかを認識することができ利便性が高くなる。
【００４１】
監視装置３は、プリンタを接続するインタフェース（図示せず）を備えており、表示器３１に表示された内容から最新の複数個分を、所定のフォームで印刷することができる。印刷するフォームは、たとえば図８に示す形式であって、表示器３１に表示される最新の複数個分（図示例は８個分）の内容を一覧表Ｔｂ１とし、定期点検の実施場所、日時、最新の定期点検の結果、最新の週間点検の結果ともに印刷する。プリンタは常時接続されており、定期点検の点検結果を受け取ると点検結果を自動的に出力するようにしてある。したがって、照明装置１の定期点検を実施したことを書類として示すことができ、法令点検の参考資料として用い、設備の安全性を示す証拠に用いることができる。
【００４２】
なお、上述した例では、判断制御部３０を監視装置３に設けているが、制御装置２に判断制御部を設けるようにすれば、制御装置２と監視装置３との間のトラフィックを低減することが可能である。
【図面の簡単な説明】
【００４３】
【図１】本発明の実施形態を示し、（ａ）は概略構成図、（ｂ）は監視装置の表示例を示す図である。
【図２】同上に用いる照明装置を示すブロック図である。
【図３】同上に用いる監視装置を示すブロック図である。
【図４】同上に用いる監視装置の動作説明図である。
【図５】同上に用いる監視装置の表示例を示す図である。
【図６】同上に用いる監視装置の表示例を示す図である。
【図７】同上に用いる監視装置の表示例を示す図である。
【図８】同上に用いる監視装置の出力例を示す図である。
【符号の説明】
【００４４】
１  照明装置
２  制御装置
３  監視装置
１０  ランプ
１１  ２次電池
３１  表示器
３０  判断制御部
ＡＣ  常用電源
Ｌｓ  信号線
Ｌｔ  伝送線
【図１】
2005182661.tif 000003
【図２】
2005182661.tif 000004
【図３】
2005182661.tif 000005
【図４】
2005182661.tif 000006
【図５】
2005182661.tif 000007
【図６】
2005182661.tif 000008
【図７】
2005182661.tif 000009
【図８】
2005182661.tif 000010